(57)【要約】【課題】表示を明るくする効果を維持しつつ、外光の反射光の外部への射出を極力抑えてコントラストを向上させる。【解決手段】  透明基板１の射出側面には、円偏光板１１が形成さている。透明基板１の発光側面には、順番に、ＴＦＴ層４，選択反射層６，透明電極７，発光層９及び反射電極１０が形成されている。発光層９は、透明電極７及び反射電極１０によって電流が供給することにより、光を発する。ＴＦＴ層４は、光を反射する複数の電極及び配線を包んで構成され透明電極に電流を流すＴＦＴを有する透明な層である。選択反射層６は、入射した光のうち、所定の波長を有するとともに所定の方向に旋回する円偏光成分のみを反射し、他の成分を透過する。円偏光板１１は、選択反射層６を透過した前記所定方向に旋回する円偏光成分のみを透過する。【選択図】図２
2014038713.tif 000002
【特許請求の範囲】
【請求項１】
有機ＥＬ表示素子を用いた表示装置であって、
透明な導電材料からなる透明電極と可視光領域の光を反射する金属材料からなる反射電極によって挟まれた構造を有するとともに、これら透明電極と反射電極によって電流が供給されることによって光を発する有機発光層と、
前記透明電極を挟んで前記有機発光層に近接して設けられ、入射した光のうち、所定の波長を有するとともに所定の方向に旋回する円偏光成分のみを反射し、他の成分を透過する選択反射層と、
前記選択反射層における前記発光層とは反対側に設けられ、光を反射する複数の電極を有するとともに前記透明電極に電流を供給する電気素子を内包する透明部材からなる配線層と、
前記配線層における前記選択反射層とは反対側に設けられた透明基板と、
前記透明基板における前記配線層とは反対側に設けられ、前記選択反射層を透過した前記所定方向に旋回する円偏光成分を透過する偏光特性を有する円偏光板と
を備えたことを特徴とする表示装置。
【請求項２】
前記有機発光層は、個々の前記選択反射層に対応して設けられ、対応する前記選択反射層によって反射される円偏光成分の波長の光を発する
ことを特徴とする請求項１記載の表示装置。
【請求項３】
前記有機発光層は、白色光を発するとともに、個々の前記選択反射層に対応した複数の前記透明電極を有するとともに、
個々の前記選択反射層に対応して、対応する前記選択反射層によって反射される円偏光成分の波長の光のみを透過するフィルタが更に設けられた
ことを特徴とする請求項１記載の表示装置。
【請求項４】
前記フィルタは、前記有機発光層と前記選択反射層との間に設けられている
ことを特徴とする請求項３記載の表示装置。
【請求項５】
前記フィルタは、前記選択反射層と前記配線層との間に設けられている
ことを特徴とする請求項３記載の表示装置。
【請求項６】
前記選択反射層は、コレステリック液晶を内包する
ことを特徴とする請求項１記載の表示装置。
【請求項７】
前記電気素子はＴＦＴである
ことを特徴とする請求項１記載の表示装置。
【請求項８】
前記配線層は、前記各電極に導通する配線を更に内包する
ことを特徴とする請求項１記載の表示装置。
【請求項９】
前記円偏光板は、入射する光における所定方向にのみ振動する直線偏光成分のみを透過する偏光板，及び、１／４波長板からなる
ことを特徴とする請求項１記載の表示装置。
【請求項１０】
前記配線層は、前記選択反射層に対向する面が平坦に形成された平坦化層を含む
ことを特徴とする請求項１記載の表示装置。
【請求項１１】
前記有機発光層は、白色光を発し、
前記選択反射層は、前記白色光のうちの所定の方向に旋回する円偏光成分のみを反射し、他の成分を透過する
ことを特徴とする請求項１記載の表示装置。
【請求項１２】
前記選択反射層は、前記白色光に含まれる各原色の光ごとに設けられた、各原色に対応した波長を有するとともに所定の方向に旋回する円偏光成分のみを反射して他の成分を透過する３層の選択反射層からなる
ことを特徴とする請求項１１記載の表示装置。
【請求項１３】
さらに、透明な導電材料からなる透明電極と可視光領域の光を反射する金属材料からなる反射電極によって挟まれた構造を有するとともに、これら透明電極と反射電極によって電流が供給されることによって白色光を発する白色光有機発光層を、前記有機発光層に隣接して有するとともに、
前記選択反射層，前記配線層，前記透明基板及び前記円偏光板のうち、後三者のみが、前記白色光有機発光層に重なっている
ことを特徴とする請求項２又は３記載の表示装置。
【発明の詳細な説明】
【技術分野】
【０００１】
本発明は、ボトムエミッション方式の有機ＥＬ（Electroluminescence）表示素子を用いた表示装置に、関する。
【背景技術】
【０００２】
近年、有機ＥＬ表示素子を用いた表示装置が開発されている。かかる有機ＥＬ表示素子は、画素毎に発光する発光層が備えられ、当該発光層に供給する電流量自体を調整することによって発光光量を調整することができるので、エネルギー効率に優れているという特徴を有している。
このような有機ＥＬ表示素子を用いた表示装置において、コントラストを向上させ色再現性を向上させるには、外光に起因する反射光（ゴースト光）が、表示面（有機ＥＬ表示素子における最も外側の面を言う。以下同様とする。）を通じて観察者側へ射出されることを防止する必要がある。
そのため、従来、外光が有機ＥＬ表示素子の表示面にて反射したり当該表示面を通じて内部に侵入することを防止するとともに、有機ＥＬ表示素子の内部に侵入した外光が電極等によって反射された後に、表示面を通じて再度外部に射出されることを防止するための工夫が、なされてきた（例えば、特許文献１乃至３）。
【０００３】
上記特許文献１に記載された技術は、ボトムエミッション方式の有機ＥＬ表示素子において、透明基板の表面（即ち、発光層が形成されている側とは反対側の面）に偏光層ないし偏光板を設けたものである。この場合、一般に非偏光である外光は、偏光層（偏光板）に入射することによって所定の方向にのみ振動する直線偏光に変換され、その際、約半分のエネルギーを当該偏光層（偏光板）によって吸収される。
しかしながら、有機ＥＬ表示素子内部に侵入した外光は、有機ＥＬ表示素子内部の電極等によって反射されてもその直線偏光状態に影響を受けないので、偏光層（偏光板）は、かかる外光に起因する反射光を、素通りさせてしまう。そればかりか、かかる偏光層（偏光板）は、有機ＥＬ表示素子の発光層において発生した光が外部に向けて透過する際にもその約半分のエネルギーを吸収してしまう。従って、かかる偏光層（偏光版）を単純に設けるだけでは、コントラスト向上に寄与する程度は低く、また、表示が暗くなってしまうという問題が生じることが、判る。
そこで、コントラスト向上に寄与する程度を高めると同時に、表示を明るくするために、円偏光板を有機ＥＬ表示素子の表示面に設ける技術が、次に提案された。
この技術によると、外光は、円偏光板を構成する偏光層（偏光板）により特許文献１の場合と同様に直線偏光に変換された後に、円偏光板を構成する１／４波長板によって左右何れかに旋回する円偏光に変換される（Ｓ偏光成分の位相とＰ偏光成分の位相とが相対的に１／４波長分シフトされる）。このようにして円偏光に変換された外光が有機ＥＬ素子内部で反射されると、Ｓ偏光成分の位相とＰ偏光成分の位相との遅れ／進みの関係が逆転するので、旋回の方向が逆転する。その為、かかる反射光が再度１／４波長板を透過することによって直線偏光に戻されると、その振動方向は、入射時における直線偏光の振動方向に対して直交することになる。その結果、反射光は、偏光層（偏光板）を透過することができず、当該偏光層（偏光板）によって吸収されるので、表示面から外部に射出されることが防止されるのである。
もっとも、有機ＥＬ表示素子の発光層によって励起された光（白色光，又は、発光層に混入された色素に応じた原色光）も様々な偏光成分から構成されているので、円偏光板を透過する際に、その約半分のエネルギーを吸収されてしまい、表示を明るくすることができない。
そこで、円偏光板とともに、波長選択反射機能を有する液晶（コレステリック液晶）層とを併用する技術が、開発された（特許文献２，特許文献３）。
この技術によると、有機ＥＬ表示素子の発光層によって励起された光（白色光，又は、発光層に混入された色素に応じた原色光）は、その波長及び円偏光成分の旋回方向に応じて分離され、液晶層を構成する液晶分子の螺旋のピッチに対応した波長を有するとともに螺旋方向と同方向に旋回する成分は反射されるが、それ以外の成分は透過する。このようにして液晶層によって反射された光は、発光層における液晶層が設けられている側とは反対側の面に形成された反射層（反射電極）によって反射され、その際に、上述したように旋回方向が逆転するので、再度液晶層に入射しても反射されることなくそのまま透過する。なお、発光層によって励起された後に先ず反射層にて反射された光も、上述したような過程を経て、最終的に、液晶層を透過する。その結果、液晶層を構成する液晶分子の螺旋のピッチに対応した波長の光については、その全成分が、一定の方向に旋回する円偏光に変換される。なお、発光層が白色光を励起する場合には、液晶層を構成する液晶分子の螺旋のピッチに対応した波長の光以外の成分が、カラーフィルタによって除去される。
そして、液晶層によって揃えられる円偏光の旋回方向は、上記外光の反射光の旋回方向とは逆方向に設定されているので、１／４波長板を透過することによって直線偏光に変換された場合における振動方向は、偏光層（偏光板）における透過光の振動方向に合致し、その全成分が、偏光層（偏光板）を透過して射出される。よって、この技術によると、表示の明るさを向上することができる。
【先行技術文献】
【特許文献】
【０００４】
【特許文献１】特開平７−１４２１７０号公報
【特許文献２】特開２００１−３５７９７９号公報
【特許文献３】特開２０１２−７４２２１号公報
【発明の概要】
【発明が解決しようとする課題】
【０００５】
ところで、特許文献３記載の構造では、反射電極層と対になって発光層に電流を供給する透明電極が透明基板と発光層との間に設けられている（従って、当該透明電極に電流を供給するＴＦＴ［Thin Film Transistor：薄膜トランジスタ］を包含するＴＦＴ層も、透明基板と発光層との間に設けられる）一方、液晶層は、透明基板を挟んで発光層とは逆側に設けられている。また、特許文献２の図３に記載の構造では、液晶層（選択反射層）は、透明基板と発光層との間に設けられているが、液晶層（選択反射層）における発光層側の面に配線が形成されていることからすると、反射電極と対になって発光層に電流を供給すべき透明電極（不図示）に電流を供給するＴＦＴ層も、液晶層（選択反射層）と発光層との間に設けられていると、考えられる。
【０００６】
このように液晶層（選択反射層）と発光層との間にＴＦＴ層及び配線が存在すると、外光は、一旦液晶層（選択反射層）を透過してからＴＦＴ層又は配線を構成する反射金属層によって反射されて、再度液晶層（選択反射層）に入射することになる。その結果、ＴＦＴ層又は配線を構成する反射金属層によって反射されることによりその円偏光の旋回方向が逆転された状態で再度液晶層（選択反射層）に入射した外光の一部が、その旋回方向を維持したまま当該液晶層（選択反射層）内部で反射されてしまうので、再度ＴＦＴ層又は配線を構成する反射金属層によって再反射された時点で、円偏光の旋回方向が再逆転されてしまう。その結果、再反射された外光起因の反射光は、今度は、液晶層（選択反射層）を透過するばかりか、円偏光板をも透過して、外部に射出されてしまうのである。
【０００７】
以上のように、液晶層（選択反射層）と発光層との間にＴＦＴ層及び配線が存在すると、かかるＴＦＴ層及び配線を構成する反射金属層での反射に起因して外光の一部が外部に射出されてしまうので、コントラストを向上させる効果は却って低下してしまう。
【０００８】
さらに、特許文献３記載の構造では、各発光層に対応する液晶層（選択反射層）との間に、現実にはこれら各層よりも大幅に厚い透明基板が介在しているので、ある発光層から発した斜め方向に発光した光が、隣接する他の発光層用の液晶層（選択反射層）に入射してしまうことがある。この場合、選択反射が生じない。このような場合には、真正面のみの輝度が上がるだけで、実際には実用的でないという問題がある。
【０００９】
そこで、本発明は、表示を明るくする効果を維持しつつ、外光の反射光の外部への射出を極力抑えてコントラストを向上させた表示装置の提供を、課題とする。
【課題を解決するための手段】
【００１０】
本発明の一態様は、有機ＥＬ表示素子を用いた表示装置であって、透明な導電材料からなる透明電極と可視光領域の光を反射する金属材料からなる反射電極によって挟まれた構造を有するとともに、これら透明電極と反射電極によって電流が供給されることによって光を発する有機発光層と、前記透明電極を挟んで前記有機発光層に近接して設けられ、入射した光のうち、所定の波長を有するとともに所定の方向に旋回する円偏光成分のみを反射し、他の成分を透過する選択反射層と、前記選択反射層における前記有機反射層とは反対側に設けられ、光を反射する複数の電極を有するとともに前記透明電極に電流を供給する電気素子を内包する透明部材からなる配線層と、前記配線層における前記選択反射層とは反対側に設けられた透明基板と、前記透明基板における前記配線層とは反対側に設けられ、前記選択反射層を透過した前記所定方向に旋回する円偏光成分のみを透過する偏光特性を有する円偏光板とを、備えたことを特徴とする。
【発明の効果】
【００１１】
本発明によれば、発光層から発した光のうち選択反射層が反射することのできる波長の光は、当該選択反射層に入射することで、その全成分が、円偏光板が透過する円偏光と同じ方向に旋回する円偏光に変換されるので、当該円偏光板によって遮断されずに外部へ射出され、表示を明るく維持することができる。それにも拘わらず、透明電極に電流を供給するための反射金属層にて反射された外光は選択反射層を透過しないので、その全成分が円偏光板によって遮断され、外部へ射出されることが防止される。よって、外光下でのコントラストが向上する。
【図面の簡単な説明】
【００１２】
【図１】本発明の第１実施形態に係る有機ＥＬ素子の縦断面図
【図２】本発明の第１実施形態の作用の説明図
【図３】本発明の第１実施形態の製造過程を示す縦断面図
【図４】本発明の第１実施形態の製造過程を示す縦断面図
【図５】本発明の第１実施形態の製造過程を示す縦断面図
【図６】本発明の第１実施形態の製造過程を示す縦断面図
【図７】本発明の第２実施形態に係る有機ＥＬ素子の縦断面図
【図８】本発明の第３実施形態に係る有機ＥＬ素子の縦断面図
【図９】本発明の第４実施形態に係る有機ＥＬ素子の縦断面図
【図１０】本発明の第４実施形態の製造過程を示す縦断面図
【図１１】本発明の第４実施形態の製造過程を示す縦断面図
【図１２】本発明の第４実施形態の製造過程を示す縦断面図
【図１３】本発明の第４実施形態の製造過程を示す縦断面図
【図１４】本発明の第４実施形態の製造過程を示す縦断面図
【図１５】本発明の第４実施形態に製造過程を示す縦断面図
【図１６】本発明の第４実施形態の製造過程を示す縦断面図
【図１７】本発明の第４実施形態の製造過程を示す縦断面図
【図１８】本発明の第４実施形態の製造過程を示す縦断面図
【図１９】本発明の第４実施形態の製造過程を示す縦断面図
【図２０】本発明の第４実施形態の製造過程を示す縦断面図
【図２１】本発明の第４実施形態に製造過程を示す縦断面図
【図２２】本発明の第５実施形態に係る有機ＥＬ素子の縦断面図
【図２３】本発明の第６実施形態に係る有機ＥＬ素子の縦断面図
【図２４】本発明の第７実施形態に係る有機ＥＬ素子の縦断面図
【図２５】本発明の第８実施形態に係る有機ＥＬ素子の縦断面図
【図２６】本発明の第９実施形態に係る有機ＥＬ素子の縦断面図
【図２７】本発明の第１０実施形態に係る有機ＥＬ素子の縦断面図
【発明を実施するための形態】
【００１３】
以下、本発明の一実施形態に係る表示装置，即ち、有機ＥＬ表示素子を利用した表示装置について、図面を参照しながら詳細に説明する。なお、以下に示す実施形態は本発明の実施形態の一例であって、本発明はこれらの実施形態に限定されるものではない。
【００１４】
（第１実施形態）
本発明の第１実施形態に係る電子機器について、図面を参照しながら詳細に説明する。
【００１５】
（全体構成）
図１は、本発明の第１実施形態に係る表示装置を構成する有機ＥＬ表示素子における何れか一つの画素をなす何れか一つの原色（赤，緑，青）を発光する部分の縦断面図である。
【００１６】
図１に示すように、透明基板としてのガラス基板１の一方の面（図１における下向きの面，以下、「射出側面」という）には、順番に、１／４波長板２及び偏光板３が、層をなすように形成されている。これら１／４波長板２及び偏光板３を併せて、「円偏光板１１」と言う。
【００１７】
これに対して、ガラス基板１の他方の面（図１における上向きの面，以下、「発行側面」という）には、順番に、ＴＦＴ層４，配向層５，選択反射層６，透明電極７，発光層封止層８及び反射電極１０が、層をなすように形成されている。
【００１８】
反射電極１０は、有機ＥＬ表示素子全体を覆うように形成された共通電極であり、入射した可視光領域全般に亙る光を全反射するに足りる屈折率及び膜厚を有する金属膜である。
【００１９】
発光層封止層８は、不透明な絶縁材料からなり、各画素における各原色の発光位置に、貫通孔８ａが形成されている層である。各貫通孔８ａ内には、対応する原色の光を発光するための発光層９が形成されている。ここで、詳細な図示及び説明は省略するが、各発光層９は、透明基板１側から順に、電子注入層，電子輸送層，有機発光層，ホール輸送層，ホール注入層が順番に積層されることにより構成されている。ただし、本実施形態においては、各発光層９は、夫々、特定の原色の光を発光するように、その有機発光層の材料（蛍光色素）が選択されている。
【００２０】
透明電極７は、各発光層９ごとに、発光層９の全体に接する面積を有するものとして、選択反射層６と発光層封止層８との間に形成されている。透明電極７の材料としては、例えば、ＩＴＯ（酸化インジウム錫）を用いることができる。
【００２１】
選択反射層６は、各画素を構成する各発光層９ごとに区分されており、各発光層９によって発光される原色光の波長を反射するように構成されている。
即ち、各選択反射層６は、波長選択反射機能を有するコレステリック液晶（コレステロールの水酸基をハロゲンで置換したハロゲン化合物や脂肪酸，炭酸とのエステル化合物等のコレステリック環を有する液晶）を封入した構造を有している。これらの波長選択反射液晶の動作原理は公知であるのでその詳細な説明は省略するが、要するに、液晶分子が螺旋状構造を有しており、下記式（１）によって与えられる波長（λ[nm]）の光については、液晶分子の螺旋状構造のねじれの向きと同じ方向に旋回する円偏光成分のみを反射するが、反対方向に旋回する円偏光成分及び他の波長の光を透過させる特性を有している。
λ＝ｐ・ｎ      ……（１）
（但し、ｐは液晶分子の螺旋ピッチ[nm]，ｎは液晶の平均屈折率である。）
そして、この液晶分子の螺旋ピッチは、液晶材料に添加するカイラル剤の濃度を調整することや、カイラル剤として光反応性カイラル剤を用いた場合に照射すべき光の熱量を調整することによって、調整することができる。このようにして液晶分子の螺旋ピッチを調整することにより、各選択反射層６は、対応する発光層９が発する原色光の波長（λ[nm]）を中心とした特定の波長の幅の光のみを反射するように、構成されているのである。例えば、ｎ＝１である場合、液晶分子のねじれ方向が右螺子方向であり、且つ、螺旋ピッチが５５０ｎｍであると、５５０ｎｍのを中心とした特定の幅の光の右螺子方向の円偏光成分のみが反射される。
【００２２】
また、選択反射層６が透過させる上記波長（λ[nm]）の円偏光の旋回方向は、上述した円偏光板１１が透過させる円偏光の旋回方向と一致している。
【００２３】
配向層５は、液晶分子の配列を揃える機能を有する膜であり、ポリイミドから構成されている。
【００２４】
なお、当該配向層５及び上述の選択反射層６には、各透明電極７を後述するＴＦＴ層に包含されたＴＦＴのドレイン電極に導通させるためのコンタクト７ａが、貫通している。
【００２５】
配線層としてのＴＦＴ層４は、透明基板１側から順番に積層された、保護層４１，第１絶縁層４２，第２絶縁層４３，第３絶縁層４４，及び平坦化層４９と、第１絶縁層４２と第２絶縁層４３との間において発光層９と重ならない位置に形成された半導体層４５と、第２絶縁層４３と第３絶縁層４４との間において第２絶縁層４３を挟んで半導体層４２の中央に対向するように金属によって形成されたゲート電極４６と、第２絶縁層４３と第３絶縁層４４を貫通して半導体層４２の一端に導通するように金属によって形成されたソース電極４７と、第２絶縁層４３と第３絶縁層４４を貫通して半導体層４２の他端に導通するように金属によって形成されるとともに上記コンタクト７ａに導通したドレイン電極４８とから、構成されている。なお、これらのうち、半導体層４５，ゲート電極４６，ソース電極４７及びドレイン電極４８のみを指して、電気素子としての「ＴＦＴ」と呼ぶ。また、ＴＦＴ層４内には、図示は省略されているが、ゲート電極４６又はソース電極４７に導通している多数の金属膜製の配線が、形成されている。
（作用）
【００２６】
上述した構造を有する本実施形態による表示装置の作用を、図１及びこれを簡略化した動作説明図である（但し、天地が図１と逆転している）図２を参照して、以下に説明する。
＜内部発光＞
【００２７】
まず、何れかの発光層９に対応したＴＦＴのゲート電極４６に電圧を印加すると、ＴＦＴがＯＮとなり、ソース電極４７，半導体層４５，ドレイン電極４８及び透明電極７を通じて、発光層９を構成するホール注入層にホールが注入されるとともに、反射電極１０を通じて、発光層９を構成する電子注入層に電子が注入され、これにより、公知の発光原理に従って発光層９を構成する有機発光層が、その材料（蛍光色素）に応じた波長（λ[nm]）の原色光を励起し、あらゆる方向に発光する。なお、この原色光を構成する各光束の成分は、各偏光方向毎に分解することにより、右螺子方向に旋回する円偏光成分と左螺子方向に旋回する円偏光成分とを合成したものであるとみなすことができる。従って、選択波長層６により、当該原色光を二つの円偏光に分離することができるのである。
【００２８】
即ち、発光層９から発して直接選択反射層６に入射するか一旦反射電極１０によって反射されてから選択反射層６に入射した光のうち、円偏光板１１によって透過する方向に旋回する円偏光成分は、そのまま選択反射層６を透過するが、反対方向に旋回する円偏光成分は、選択反射層６内で反射される。ここで、円偏光板１１によって透過する円偏光の旋回方向が図２に示すように左螺子方向（液晶分子の螺旋構造が右螺子方向である場合）であるとすると、左螺子方向に旋回する円偏光成分が選択反射層６を透過し、右螺子方向に旋回する円偏光成分が選択反射層６内で反射される。
【００２９】
選択反射層６内で反射された円偏光成分は、発光層９内に再入射された後に反射電極１０によって反射され、これによってその旋回方向を逆転された状態（図２の例においては左螺子方向に逆転された状態）で、選択反射層６に再入射され、今度は、選択反射層６を透過する。
【００３０】
以上の結果、発光層９から発した光の全成分が、円偏光板１１によって透過する円偏光と同じ旋回方向の円偏光に変換された状態で選択反射層６を透過し、更に、ＴＦＴ層４，透明基板１及び円偏光板１１を透過して、外部へ射出される。よって、表示装置による表示の明るさが維持される。
＜外光＞
【００３１】
一方、外光が本実施形態による有機ＥＬ表示素子に入射しようとする場合、円偏光板１１を構成する偏光板３を透過する際にその約半分の成分が当該偏光板３によって吸収され、残りの成分が１／４波長板２を透過することによって円偏光（図２の例においては、左螺子方向に旋回する円偏光）に変換される。
【００３２】
この外光が透明基板１を通じてＴＦＴ層４に含まれる各電極４６，４７，４８や図示せぬ配線の表面に入射すると、当該表面によって反射されるが、その反射の際に、その旋回方向が逆転される（図２の例においては、右螺子方向に逆転される）。従って、この反射光が再度を透明基板１を通り、円偏光板１１に入射しても、その旋回方向は当該円偏光板１１が透過する円偏光の旋回方向（図２の例では左螺子方向）とは逆である，即ち、１／４波長板２を透過することによって変換される直線偏光の振動方向が、偏光板３が透過する直線偏光の振動方向に対して直交するので、当該反射光の全成分が当該偏光板３によって吸収されて、外部に射出されることがない。
【００３３】
また、円偏光板１１及び透明基板１を透過した外光のうち、ＴＦＴ層４における透明部分を透過した光束は、選択反射層６に入射することになるが、当該選択反射層６によって反射されない波長（λ[nm]）の光は勿論、反射される波長（λ[nm]）の光についても、選択反射層６を透過する方向（図２の例では左螺子方向）に旋回する円偏光に変換されているので、選択反射層６を透過し、発光層９内に入射してから反射電極１０によって反射される。このとき、当該外光の全波長成分は、その円偏光の旋回方向を逆転され（図２の例では右螺子方向に逆転され）、選択反射層６に再入射する。
【００３４】
選択反射層６に入射した反射光のうち、当該選択反射層６によって反射されない波長（λ[nm]）の光は、当該選択反射層６を透過し、更に、ＴＦＴ層４，透明基板１を透過して円偏光板１１に入射するが、その旋回方向は当該円偏光板１１が透過する円偏光の旋回方向（図２の例では左螺子方向）とは逆である，即ち、１／４波長板２を透過することによって変換される直線偏光の振動方向が、偏光板３が透過する直線偏光の振動方向に対して直交するので、当該偏光板３によって吸収されて、外部に射出されることがない。
【００３５】
これに対して、選択反射層６に入射した反射光のうち、当該選択反射層６によって反射される波長（λ[nm]）の光は、その円偏光の旋回方向が液晶分子の螺旋構造のねじれ方向（図２の例では右螺子方向）と一致するので、当該選択反射層６内において反射されて、発光層９内に再度入射し、反射電極１０によって再反射される。このとき、当該光の円偏光の旋回方向は再逆転され（図２の例では左螺子方向に再逆転され）、選択反射層６に再入射する。この場合、当該光の円偏光の旋回方向は、液晶分子の螺旋構造のねじれ方向とは逆向き（図２の例では左螺子方向）であるので、当該選択反射層６を透過し、更に、ＴＦＴ層４，透明基板１を透過して円偏光板１１に入射する。この場合、当該光の円偏光の旋回方向は当該円偏光板１１が透過する円偏光の旋回方向（図２の例では左螺子方向）と同じである，即ち、１／４波長板２を透過することによって変換される直線偏光の振動方向が、偏光板３が透過する直線偏光の振動方向と平行になるので、当該円偏光板１１を透過して、外部に射出されてしまう。
【００３６】
もっとも、本実施形態のようなボトムエミッション方式の場合、ＴＦＴ層４における透明部分（即ち、各ＴＦＴの電極や配線が設けられていない部分）が全体に占める面積比率は低く、また、発光層封入層８全体に占める発光層８の面積比率は更に低いので、最終的に円偏光板１１を透過して外部に射出される外光起因の反射光の光量は僅かに止まる。その為、当該反射光がコントラストに及ぼす悪影響の程度は最小限に留まる。
【００３７】
以上に説明したように、本実施形態においては、反射電極と対になって各発光層に電流を供給する透明電極を駆動するＴＦＴや配線は、透明基板１の片側において、当該透明基板１と選択反射層６との間に設けられているので、有機ＥＬ表示素子内に侵入してこれらＴＦＴの電極や配線の表面にて反射された外光起因の反射光は、選択反射層６を透過することがない。従って、当該反射光に関しては、当該当該選択反射層６によって反射されることによって反射電極によって複数回反射されることによって入射時における円偏光の旋回方向に戻ってしまうという問題が生じず、反射回数は１回に留まるので、入射時における円偏光の旋回方向が逆転されるので、円偏光板によって確実に遮断される。よって、本実施形態によると、表示の明るさを維持しつつ、コントラストの低下を極力抑えることができる。
（製造過程）
【００３８】
以下、図３乃至図６を参照して、本実施形態による有機ＥＬ表示素子の選択反射層６の製造工程を説明する。なお、図３乃至図６の天地は、図１と同じである。
【００３９】
先ず、図３に示すように、製造者は、透明基板１の表面（発光側面）に、順番に、ＴＦＴ層４及び配向層５を形成する。
【００４０】
次に、図４に示すように、製造者は、配向層５上に、常温にて液晶分子の螺旋ピッチを赤領域の光を反射させる幅に固定するように光反応型カイラル剤の濃度が調整されたコレステリック液晶組成物３０を塗布し、全画素における同一原色の発光層９の位置に対応した透光部２０ａが形成されたマスク２０を、各透光部２０ａが全画素における赤色光を発光する発光層９に重なるように位置決めした状態で、当該マスク２０を介して、加熱せず、常温で紫外光を、液晶組成物３０に照射する。なお、図示は省略したが、当該マスク２０の各透光部２０ａには、各コンタクト７ａ用の開口を形成するためのパターン（遮光部）も形成されている。その結果、夫々コンタクト７ａ用の開口が形成された全画素の赤色光用の選択反射層６が形成される。
【００４１】
次に、図５に示すように、製造者は、各透光部２０ａが全画素における緑色光を発光する発光層９に重なるようにマスク２０の位置をずらし、当該マスク２０を介して、コレステリック液晶が緑色を反射するようになる温度まで、ホットプレートで加熱しながら、紫外光を液晶組成物３０に照射する。その結果、夫々コンタクト７ａ用の開口が形成された全画素の緑色光用の選択反射層６が形成される。
【００４２】
次に、図６に示すように、製造者は、各透光部２０ａが全画素における青色光を発光する発光層９に重なるようにマスク２０の位置をずらし、当該マスク２０を介して、コレステリック液晶が青色を反射するようになる温度まで、ホットプレートで加熱しながら、紫外光を液晶組成物に照射する。その結果、夫々コンタクト７ａ用の開口が形成された全画素の青色光用の選択反射層６が形成される。
【００４３】
その後、製造者は、順次、透明電極７，発光層封止層８，発光層９及び反射電極１０を形成する。また、透明基板１の射出側面上に、順次、１／４波長板２及び偏光板３を形成する。
以上により、本実施形態による有機ＥＬ表示素子が完成する。
（第２実施形態）
【００４４】
図７は、本発明の第２実施形態に係る表示装置を構成する有機ＥＬ表示素子における何れか一つの画素をなす何れか一つの原色（赤，緑，青）を発光する部分の縦断面図である。
【００４５】
図７に示すように、本第２実施形態は、上述した第１実施形態と比較して、配向層５が省略されている点のみを相違し、それ以外の構成を同一としている。当該配向層５は、液晶製造時において液晶分子の配列を整えるために必要であるが選択反射層６の完成後においては特にその機能は必要とされないので、省略が可能となっている。選択反射層は方向性がないため、方向性を揃えるための配向処理は不要であり、また、欠陥を減らすための配向膜の寄与という意味では、コレステリック液晶材料自体の配向性を向上させることにより、配向膜を必ずしも形成する必要はない。  従って、本第２実施形態の作用及び製造過程は、配向層５に関する箇所を除き、上述した第１実施形態のものと同じである。
（第３実施形態）
【００４６】
図８は、本発明の第３実施形態に係る表示装置を構成する有機ＥＬ表示素子における何れか一つの画素をなす何れか一つの原色（赤，緑，青）を発光する部分の縦断面図である。
【００４７】
図８に示すように、本第３実施形態は、上述した第２実施形態と比較して、平坦化層４９が省略されているとともに、選択反射層６が平坦化層４９の機能を兼ねている点のみを相違し、それ以外の構成を同一としている。当該平坦化層４９は、透明電極７を形成すべき平面を平坦化するために必要であるが、透明電極７の完成後においては特にその機能は必要とされないので、省略が可能となっている。また、コレステリック液晶層を使って平坦化することも可能である。従って、本第３実施形態の作用及び製造過程は、配向層５及び平坦化層４９に関する箇所を除き、上述した第１実施形態のものと同じである。
（第４実施形態）
【００４８】
図９は、本発明の第４実施形態に係る表示装置を構成する有機ＥＬ表示素子における何れか一つの画素をなす何れか一つの原色（赤，緑，青）を発光する部分の縦断面図である。
【００４９】
図９に示すように、本第４実施形態は、上述した第１実施形態と比較して、各色用の選択反射層６が、発光層封止層８を介して相互に分離している点のみを相違し、それ以外の構成を同一としている。各選択反射層６は、光学素子に過ぎず、相互に連続している必然性はないので、分離が可能になっている。従って、本第４実施形態の作用は、上述した第１実施形態のものと同じである。
＜製造過程＞
【００５０】
以下、図１０乃至図２１を参照して、本実施形態による有機ＥＬ表示素子の製造工程を説明する。なお、図１０至図２１の天地は、図１と同じである。
先ず、図１０に示すように、製造者は、透明基板１の表面（発光側面）に、順番に、ＴＦＴ層４及び配向層５を形成する。
【００５１】
次に、図１１に示すように、製造者は、配向層５上に、常温にて液晶分子の螺旋ピッチを赤領域の光を反射させる幅に固定するようにカイラル剤の濃度が調整された光重合性コレステリック液晶組成物３１を塗布する。
【００５２】
次に、図１２に示すように、製造者は、全画素における同一原色の発光層９の位置に対応した（但し、上記第１実施形態のものよりも狭い）透光部２１ａが形成されたマスク２１を、各透光部２１ａが全画素における赤色光を発光する発光層９に重なるように位置決めした状態で、当該マスク２１を介して、紫外光を、液晶組成物３１に照射する。なお、図示は省略したが、当該マスク２１の各透光部２１ａには、各コンタクト７ａ用の開口を形成するためのパターン（遮光部）も形成されている。その結果、夫々コンタクト７ａ用の開口が形成された全画素の赤色光用の選択反射層６が硬化される。
【００５３】
次に、図１３に示されるように、製造者は、現像液３２によって液晶組成物３１を現像することにより、未硬化の液晶組成物３１を除去する。その結果、図１４に示すように、硬化された全画素の赤色光用の選択反射層６のみが、配向層５上に残される。
【００５４】
次に、図１５に示されるように、製造者は、配向層５上に、常温にて液晶分子の螺旋ピッチを緑領域の光を反射させる幅に固定するようにカイラル剤の濃度が調整された光重合性コレステリック液晶組成物３３を塗布する。
【００５５】
次に、図１６に示されるように、製造者は、上記マスク２１を、各透光部２１ａが全画素における緑色光を発光する発光層９に重なるように位置決めした状態で、当該マスク２１を介して、紫外光を、液晶組成物３３に照射する。その結果、夫々コンタクト７ａ用の開口が形成された全画素の緑色光用の選択反射層６が硬化される。
【００５６】
次に、図１７に示されるように、製造者は、現像液３２によって液晶組成物３３を現像することにより、未硬化の液晶組成物３３を除去する。その結果、図１８に示すように、硬化された全画素の赤色光用の選択反射層６及び緑色光用の選択反射層６のみが、配向層５上に残される。
【００５７】
次に、図１９に示されるように、製造者は、配向層５上に、常温にて液晶分子の螺旋ピッチを青領域の光を反射させる幅に固定するようにカイラル剤の濃度が調整された光重合性コレステリック組成物３４を塗布する。
【００５８】
次に、図２０に示されるように、製造者は、上記マスク２１を、各透光部２１ａが全画素における青色光を発光する発光層９に重なるように位置決めした状態で、当該マスク２１を介して、紫外光を、液晶組成物３４に照射する。その結果、夫々コンタクト７ａ用の開口が形成された全画素の青色光用の選択反射層６が硬化される。
【００５９】
次に、図２１に示されるように、製造者は、現像液３２によって液晶組成物３４を現像することにより、未硬化の液晶組成物３４を除去する。その結果、硬化された全画素の赤色光用の選択反射層６，緑色光用の選択反射層６及び青色用の選択反射層６のみが、配向層５上に残される。
【００６０】
その後、製造者は、順次、透明電極７，発光層封止層８，発光層９及び反射電極１０を形成する。また、透明基板１の射出側面上に、順次、１／４波長板２及び偏光板３を形成する。
以上により、本実施形態による有機ＥＬ表示素子が完成する。
（第５実施形態）
【００６１】
図２２は、本発明の第５実施形態に係る表示装置を構成する有機ＥＬ表示素子における何れか一つの画素をなす何れか一つの原色（赤，緑，青）を発光する部分の縦断面図である。
【００６２】
図２２に示すように、本第５実施形態は、上述した第１実施形態と比較して、発光層封止層８及び各発光層９の代わりに、白色光を発光するように材料（発光色素）が調整された一続きの白色発光層１２が形成されているとともに、各透明電極７に対応して（従って、白色発光層１２における、各透明電極７によって供給される電流によって発光する部分に対応して）、何れかの原色の波長成分のみを透過させるカラーフィルタ１３が、選択反射層６と透明電極７との間に形成されている点のみを相違し、それ以外の構成を同一としている。このような構成においても、白色発光層１２にて発した白色光のうち、特定の原色光成分のみがカラーフィルタ１３を透過するので、選択反射層６には対応する波長の光のみが入射する点において、第１実施形態と同じである。従って、有機ＥＬ表示素子内に入射した外光のうち、選択反射層６によって反射されない波長成分は、カラーフィルタ１３によって吸収されてしまう点を除いて、本第５実施形態の作用は、上述した第１実施形態のものと同じである。
（第６実施形態）
【００６３】
図２３は、本発明の第６実施形態に係る表示装置を構成する有機ＥＬ表示素子における何れか一つの画素をなす何れか一つの原色（赤，緑，青）を発光する部分の縦断面図である。
【００６４】
図２３に示すように、本第６実施形態は、上述した第５実施形態と比較して、カラーフィルタ１３が平坦化層４９と配向層５との間に形成されている点のみを相違し、それ以外の構成を同一としている。このような構成においても、選択反射層６を透過する順番とカラーフィルタ１３を透過する順番とが逆になる為、有機ＥＬ表示素子内に入射した外光のうち、選択反射層６によって反射されない波長成分は、選択反射層６に入射するに先立ってカラーフィルタ１３によって吸収されてしまう点を除いて、本第６実施形態の作用は、上述した第５実施形態のものと同じである。
（第７実施形態）
【００６５】
図２４は、本発明の第７実施形態に係る表示装置を構成する有機ＥＬ表示素子における何れか一つの画素をなす何れか一つの原色（赤，緑，青）を発光する部分の縦断面図である。
【００６６】
図２４に示すように、本第７実施形態は、上述した第１実施形態と比較して、配向層５が省略されているとともに、選択反射層６の表面及びコンタクト７ａ用の開口６ａの内面に窒化ケイ素（ＳｉＮ）製のパシベーション層１４が形成されている点のみを相違し、それ以外の構成を同一としている。従って、本第２実施形態の作用は、上述した第１実施形態のものと同じである。
（第８実施形態）
【００６７】
図２５は、本発明の第８実施形態に係る表示装置を構成する有機ＥＬ表示素子における何れか一つの画素をなす何れか一つの原色（赤，緑，青）を発光する部分及び白色を発光する部分の縦断面図である。即ち、本第８実施形態に係る表示装置を構成する有機ＥＬ表示素子を構成する各画素は、３原色（赤，緑，青）及び白色を夫々発光する４個の発光層を備え、これにより、白色の色再現性を向上させている。
【００６８】
図２５に示すように、本第８実施形態における各原色を発光する部分は、上述した第２実施形態（第１実施形態から配向層５を省略したもの）と同じ構成を有する。また、本第８実施形態における白色を発光する部分は、上述した第２実施形態と比較して、原色を発光する発光層９の代わりに、白色光を発光するように材料（発光色素）が調整された白色発光層１２が形成されているとともに、単色用の選択反射層６の代わりに、各原色（赤，緑，青）の波長帯域の光（所定旋回方向の円偏光成分）のみを夫々反射させる３層の選択反射層６１，６２，６３からなる反射層６０が設けられている点のみを相違する。
【００６９】
以上のように構成された本第８実施形態における各原色を発光する部分における作用は、上述した第１実施形態のものと同じである。
【００７０】
また、白色光を発する部分におけるＴＦＴの各電極４６〜４８及び配線での外光反射に対する作用は、上述した第１実施形態のものと同じである。
【００７１】
これに対して、白色発光層１２から発した白色光を構成する各原色（赤，緑，青）は、その波長帯域に対応した何れかの選択反射層６１，６２，６３において、円偏光板１１を透過可能な円偏光と同じ旋回（図２の例では左螺子方向）に旋回する円偏光成分と反対方向に旋回する円偏光成分とに分離され、前者はそのまま反射層６０を透過し、後者は各選択反射層６１，６２，６３内で反射さえて白色発光層１２に戻される。このようにして白色発光層１２内に戻された各原色（赤，緑，青）の円偏光成分は、反射電極１０によって反射されることにより、その旋回方向を逆転されて再度反射層６０に入射するが、今度は、各選択反射層６１，６２，６３を透過して、反射層６０から射出される。その結果、反射層６０から射出される全ての成分が、円偏光板１１を透過可能な円偏光と同じ旋回（図２の例では左螺子方向）に旋回する円偏光に揃えられる。従って、白色発光層１２から発した全成分が、円偏光板１１を透過して外部へ射出されるので、表示の明るさが維持される。
【００７２】
また、円偏光板１１を透過して有機ＥＬ表示素子内に侵入した外光は、所定方向（図２の例では、左螺子方向）に旋回する円偏光成分のみからなるので、反射層６０を透過し、白色発光層１２内に侵入する。このようにして白色発光層１２内に侵入した外光は、反射電極１０によって反射されることにより、その旋回方向を逆転されて再度反射層６０に入射するが、各波長成分ごとに、対応する選択反射層６１，６２，６３によって反射されて、再度白色発光層１２内に戻される。このようにして白色発光層１２内に戻された外光は、反射電極１０によって反射されることにより、その旋回方向を再逆転されて再度反射層６０に入射するが、今度は、各波長選択６１，６２，６３を透過して、反射層６０から射出される。その結果、当該外光は、円偏光板１１を透過して外部へ射出されてしまうが、本実施形態のようなボトムエミッション方式の場合、ＴＦＴ層４における透明部分（即ち、各ＴＦＴの電極や配線が設けられていない部分）が全体に占める面積比率は低く、また、発光層封入層８全体に占める発光層８の面積比率は更に低いので、最終的に円偏光板１１を透過して外部に射出される外光起因の反射光の光量は僅かに止まる。その為、当該反射光がコントラストに及ぼす悪影響の程度は最小限に留まる。
【００７３】
なお、本第８実施形態の有機ＥＬ表示素子における各原色を発光する部分として、第３実施形態乃至第７実施形態の何れかと同じ構成が用いられても良い。
（第９実施形態）
【００７４】
図２６は、本発明の第９実施形態に係る表示装置を構成する有機ＥＬ表示素子における何れか一つの画素をなす何れか一つの原色（赤，緑，青）を発光する部分及び白色を発光する部分の縦断面図である。即ち、上述した第８実施形態と同様に、本第９実施形態に係る表示装置を構成する有機ＥＬ表示素子を構成する各画素は、３原色（赤，緑，青）及び白色を夫々発光する４個の発光層を備え、これにより、白色の色再現性を向上させている。
【００７５】
図２６に示すように、本第９実施形態における各原色を発光する部分は、上述した第２実施形態（第１実施形態から配向層５を省略したもの）と同じ構成を有する。また、本第９実施形態における白色を発光する部分は、上述した第８実施形態と比較して、３層の選択反射層６１，６２，６３からなる反射層６０の代わりに、等方性（選択反射機能を有さない）液晶層６４が設けられている点のみを相違する。
【００７６】
かかる等方性液晶層６４は、選択反射層６の材料である液晶組成物を露光する前に高温に曝すことにより形成される。
【００７７】
以上のように構成された本第９実施形態における各原色を発光する部分における作用は、上述した第１実施形態のものと同じである。
【００７８】
また、白色光を発する部分におけるＴＦＴの各電極４６〜４８及び配線での外光反射に対する作用は、上述した第１実施形態のものと同じである。
【００７９】
これに対して、白色発光層１２から発した白色光は、その全成分が等方性液晶層６４を透過するが、非偏光であるので、その約半分の成分が円偏光板１１を透過し、残りが同円偏光板１１によって吸収される。しかしながら、元々、白色発光層１２は、波長選択機能を有していないためにエネルギー効率が良く、そこから発した光はカラーフィルターによって光量を減じられていないので、白色光を発光する部分の表示の明るさは、各原色を発光する部分の表示の明るさよりも劣ることはない。
【００８０】
また、円偏光板１１を透過して有機ＥＬ表示素子内に侵入した外光は、所定方向（図２の例では、左螺子方向）に旋回する円偏光成分のみからなり、等方性液晶層６４及び白色発光層１２を透過して、反射電極１０によって反射されることにより、その旋回方向を逆転されるので、再度白色発光層１２及び等方性液晶層６４を透過して、円偏光板１１に到達しても、当該円偏光板１１によって遮断される。従って、コントラストを悪化させることがない。
【００８１】
なお、本第９実施形態の有機ＥＬ表示素子における各原色を発光する部分として、第３実施形態乃至第７実施形態の何れかと同じ構成が用いられても良い。
（第１０実施形態）
【００８２】
図２７は、本発明の第１０実施形態に係る表示装置を構成する有機ＥＬ表示素子における何れか一つの画素をなす何れか一つの原色（赤，緑，青）を発光する部分及び白色を発光する部分の縦断面図である。即ち、上述した第８実施形態と同様に、本第１０実施形態に係る表示装置を構成する有機ＥＬ表示素子を構成する各画素は、３原色（赤，緑，青）及び白色を夫々発光する４個の発光層を備え、これにより、白色の色再現性を向上させている。
【００８３】
図２７に示すように、本第１０実施形態における各原色を発光する部分は、上述した第４実施形態と同じ構成を有する。また、本第１０実施形態における白色を発光する部分は、上述した第９実施形態と比較して、ＴＦＴ層４と透明液晶７との間に液晶層がない点のみを相違する。即ち、本実施形態１０における各選択反射層６は、上述した第４実施形態と同様にして各波長帯域毎に現像されることによって形成されるので、白色光を発光する部分においては、選択反射層６の形成が省略されるのである。
【００８４】
以上のように構成された本第１０実施形態における各原色を発光する部分における作用は、上述した第１実施形態のものと同じである。
【００８５】
また、白色光を発する部分における作用は、上述した第９実施形態のものと同じである。
【符号の説明】
【００８６】
１    透明電極
４    ＴＦＴ層
６    選択反射層
７    透明電極
９    発光層
１０    反射電極
１１    円偏光板
【図１】
2014038713.tif 000003
【図２】
2014038713.tif 000004
【図３】
2014038713.tif 000005
【図４】
2014038713.tif 000006
【図５】
2014038713.tif 000007
【図６】
2014038713.tif 000008
【図７】
2014038713.tif 000009
【図８】
2014038713.tif 000010
【図９】
2014038713.tif 000011
【図１０】
2014038713.tif 000012
【図１１】
2014038713.tif 000013
【図１２】
2014038713.tif 000014
【図１３】
2014038713.tif 000015
【図１４】
2014038713.tif 000016
【図１５】
2014038713.tif 000017
【図１６】
2014038713.tif 000018
【図１７】
2014038713.tif 000019
【図１８】
2014038713.tif 000020
【図１９】
2014038713.tif 000021
【図２０】
2014038713.tif 000022
【図２１】
2014038713.tif 000023
【図２２】
2014038713.tif 000024
【図２３】
2014038713.tif 000025
【図２４】
2014038713.tif 000026
【図２５】
2014038713.tif 000027
【図２６】
2014038713.tif 000028
【図２７】
2014038713.tif 000029